(57)【要約】【課題】風向偏向板と吹き出し口一旦の隙間を任意距離は成さないと風向偏向板に結露するという課題を有していた。【解決手段】室内ユニットの吹き出しにその両端に配置した軸により軸回転をして電圧を印加することによって反り変形をする高分子シートで風上任意長さ部を構成された風向偏向板により吹き出し口と風向偏向板との隙間をなくすことで結露を防止した。【選択図】図２
2013019625.tif 000002
【特許請求の範囲】
【請求項１】
空気調和機の室内ユニット本体と、このユニット本体内に収容される熱交換器及び送風ファンと、前記熱交換器で発生する凝縮水を貯留するドレンパンを備えた空気調和機において、前記室内ユニットの吹き出しにその両端に配置した軸により軸回転をして電圧を印加することによって反り変形をする高分子シートで風上任意長さ部を構成された風向偏向板により吹き出し口と風向偏向板との隙間をなくす構成したことを特徴とする空気調和機の室内ユニット。
【請求項２】
前記高分子シートは、電圧を印加することで反り変形をする性状をもつイオン伝導性高分子素子で構成されていることを特徴とする請求項１に記載の空気調和機の室内ユニット。
【請求項３】
前記高分子シートは、薄板状の弾性樹脂材で被包されていることを特徴とする請求項１から２のうちいずれか一項に記載の空気調和機の室内ユニット。
【請求項４】
前記可動シートを反り変形させる時のみ前記高分子シートに電圧が印加される構成であることを特徴とする請求項１から３のうちいずれか一項に記載の空気調和機の室内ユニット。
【請求項５】
機器の運転状態や機器周囲の温湿度条件によって、前記高分子シートに電圧を印加するタイミングを指令する制御手段を備えたことを特徴とする請求項１から４のうちいずれか一項に記載の空気調和機の室内ユニット。
【請求項６】
前記風向偏向板は中空の軸を有し前記中空の軸内を前記可動シートへの電源供給用配線を配置したことを特徴とする請求項１から５のうちいずれか一項に記載の空気調和機の室内ユニット。
【発明の詳細な説明】
【技術分野】
【０００１】
本発明は空気調和機に関し、特に室内ユニットに関するものである。
【背景技術】
【０００２】
空気調和機の室内ユニットでは、送風機によって誘引することで室内空気を空気吸込み口から吸込み、これを熱交換器での熱交換によって温度調節をした後、空調風として空気吹き出し口から室内へ吹き出すようになっている。従来、この種の空気調和機の室内ユニットは、風向偏向時に室内ユニットの吹き出し口に配置されている風向偏向板を大きく回転させ風向偏向方向への風の向きを変えている（例えば、特許文献１参照）。
【０００３】
図４は、特許文献１に記載された従来の空気調和機の室内ユニットの略断面図を示すものである。図４に示すように、室内ユニット１に熱交換器２が架設され、吸込み口３から送風機４により吸い込まれた空気は熱交換器２を通して熱交換され、吹き出し口７から吹き出される。風向偏向板８は風向偏向するのと最大風量時に吹き出し口一端の略延長の位置に配置されディフューザとして機能する構成となっている。
【先行技術文献】
【特許文献】
【０００４】
【特許文献１】特開平９−３２４９４７号公報
【発明の概要】
【発明が解決しようとする課題】
【０００５】
しかしながら、前記従来の構成では、風向偏向板と吹き出し口一旦の隙間を任意距離は成さないと風向偏向板に結露するという課題を有していた。
【０００６】
本発明は、前記従来の課題を解決するもので、空気調和機の室内ユニットにおいて、風向偏向板の風上任意長さ部の曲率半径を変えることで風向偏向板の吹き出し側端部のみを下方に向けることで風向偏向板自身が吹き出し口との隙間を封止し風向偏向板に結露することを防止できる空気調和機の室内ユニットを提供することを目的とする。
【課題を解決するための手段】
【０００７】
前記従来の課題を解決するために、本発明の空気調和機の室内ユニットは、電圧を印加することによって反り変形をする高分子シートで風向偏向板の風上任意長さ部を構成し、風向偏向板の曲率半径を変えることで風向偏向板の風上任意長さ部のみを下方に向けることで風向偏向板自身が吹き出し口との隙間を封止し風向偏向板に結露することを防止可能とする。
【発明の効果】
【０００８】
上記のように、本発明の空気調和機の室内ユニットは、風向偏向板自身が結露を防止しつつ十分に吹き出し口の延長配置となりディフューザ効果を生み出し、製品の高性能化による省エネ貢献や製品の小型が実現でき、製品設置可能箇所の拡大などを図ることができる。
【図面の簡単な説明】
【０００９】
【図１】本発明の実施の形態１における室内ユニットの略断面図
【図２】本発明の実施の形態１における高分子シート可動風向偏向板の構成断面図
【図３】本発明の実施の形態１における高分子シート可動風向偏向板の平面図
【図４】同実施形態の高分子シート可動風向偏向板の動作説明図
【図５】同実施形態のイオン伝導性高分子素子を用いて構成された高分子シート材の断面図
【図６】同実施形態のイオン伝導性高分子素子を用いて構成された高分子シート材の動作説明図
【図７】従来の室内ユニット図
【発明を実施するための形態】
【００１０】
第１の発明の空気調和機の室内ユニットは、電圧を印加することによって反り変形をする高分子シートで風向偏向板の風上任意長さ部を構成し、高分子シートに電圧を印加し、風向偏向板の曲率半径を変えることで風向偏向板の吹き出し側端部のみを下方に向けることで風向偏向板自身が吹き出し口との隙間を封止し風向偏向板に結露することを防止可能とする。
【００１１】
第２の発明は、高分子シートが電圧を印加することで反り変形をする性状をもつイオン伝導性高分子素子で構成されたことを特徴とするもので、電圧を印加するだけで反り変形を起すことができ、制御が容易である。
【００１２】
第３の発明は、高分子シートが薄板状の弾性樹脂材で被包されていることを特徴とするもので、弾性樹脂材によって高分子シート及びその電極が外部へ露出しないようにして、高分子シートおよび電極の損傷の発生が防止されることで耐久性の向上が可能となる。
【００１３】
第４の発明は、可動シートを反り変形させる時のみ高分子シートに電圧が印加される構成であることを特徴とするもので、変形後の保持期間は電圧を印加する必要がなく、常時電圧印加を必要とするような場合に比して消費電力が少なくてすみ、省エネ性に優れた運転が可能である。
【００１４】
第５の発明は、機器の運転状態や機器周囲の温湿度条件によって、高分子シートに電圧を印加するタイミングを指令する制御手段を備えたことを特徴とするもので、風向が外れないように高分子シートを制御して、無駄な動作を抑制する。
【００１５】
第６の発明は、前記風向偏向板は中空の軸を有し前記中空の軸内を前記可動シートへの電源供給用配線を配置することで風向偏向板の状態に関わらず可動シートへの電圧供給を可能としている。
【００１６】
以下、本発明の各実施の形態を図１〜図６に基づいて説明する。なお、この実施の形態によって本発明が限定されるものではない。
【００１７】
（実施の形態１）
図１は、本発明の第１の実施の形態における空気調和機の室内ユニットの略断面図を示すもので、図１において、室内ユニット１内に配置された熱交換器２と送風機４によって、室内に冷媒のエネルギーを供給する。吹き出し口７の中に電圧を印加することによって吹き出し側端部のみが下方へ変形する高分子シート可動風向偏向板８‘を配置した構成となっている。
【００１８】
ここで、高分子シート可動風向偏向板８‘について詳細に説明する。図２は高分子シート可動風向偏向板８‘の構成断面図、図３は高分子シート可動風向偏向板８‘の平面図、図４は高分子シート可動風向偏向板８‘の動作説明図、図５は可動シートの断面模式図、図６はイオン伝導性高分子素子による高分子シートの動作を説明する断面図である。
【００１９】
図２において、可動シート９は、電圧の印加によって反り変形を発生する高分子シート１１を複数枚積層し、且つ、これを弾性樹脂材１８で被包することによって形成される。この高分子シート１１は図３（ｂ）に示すように、水分を含むイオン伝導性高分子素子１２の両面にそれぞれ電極１３（ａ），（ｂ）を配置して構成された板状部材であって、電極１３（ａ）と電極１３（ｂ）とを、極性切り替えスイッチ１４を介して直流電源１５に接続し、極性切り替えスイッチ１４の切り替え操作によって、電極１３（ａ），（ｂ）の極性を適宣変更することで図６（ａ），（ｃ）に示すように反対方向に反り変形を生じるものである。
【００２０】
具体的には、図６（ａ）に示す様に、電極１３（ａ）を「陽極」に、電極１３（ｂ）を「陰極」に設定すると、イオン伝導性高分子素子１２内の「陽イオン１６」が水を伴って「陰極」側へ移動し、含水量が「陰極」側に偏在し、「陰極」側と「陽極」側との間に膨潤差が生じて高分子シート１１が「陰極」側、即ち、電極１３（ｂ）側へ凸状に反り変形するものである。逆に図６（ｃ）に示すように電極１３（ａ）を「陰極」に、電極１３（ｂ）を「陽極」に設定すると、「陰極」である電極１３（ａ）側へ凸状に反り変形するものである。この様に電圧印加の極性を変更することで高分子シート１１を反り変形させることができるものである。
【００２１】
尚、イオン伝導性高分子素子１２には、電圧印加によって反り変形させた後、電圧印加をなくしても、電圧印加停止前の反り変形状態をそのまま維持するという性状をもっている。したがって、このイオン伝導性高分子素子１２はこれを反り変形させる時にのみ電圧印加を行えば良いものである。元通りに戻すには両電極１３（ａ），（ｂ）を短絡すれば良い。
【００２２】
上記の構成とすることで、機器の運転状態や室内の空気状態に応じて、可動シート９の高分子シート１１に電圧を印加し、反り変形を発生させることで、可動シート９の風上任意長さ部のみが下方へ変形することで、通風抵抗増加することなく風向偏向ができるため、風量増加による高性能化を実現させることができる。また、小型化による製品のダウンサイジングが実現でき、製品設置可能箇所の拡大などを図ることができる。
【産業上の利用可能性】
【００２３】
以上のように、本発明にかかる空気調和機の室内ユニットは、風向偏向板の風上任意長さ部のみが下方へ変形することにより高性能化できるものである。
【符号の説明】
【００２４】
１  室内ユニット
２  熱交換器
４  送風機
５  ドレンパン
７  吹き出し口
８  風向偏向板
８‘  高分子シート可動風向偏向板
１０  制御手段
１１  高分子シート
１３ａ，ｂ  電極
１８  弾性樹脂材
【図５】
2013019625.tif 000003
【図７】
2013019625.tif 000004
【図１】
2013019625.tif 000005
【図２】
2013019625.tif 000006
【図３】
2013019625.tif 000007
【図４】
2013019625.tif 000008
【図６】
2013019625.tif 000009